(57)【特許請求の範囲】
【請求項１】
鉛直方向角度調整手段を備えたカメラ本体と、下方が開口して内部がカメラ本体を収納する凹部となり且つ下端部に外鍔を設けた有底筒状の埋め込み取り付け枠と、赤外線は透過し且つ可視光線は透過しない材料により形成してあるカバー材を具備し、埋め込み取り付け枠は天井材にあけた孔に外鍔が天井材の表面に当たるまで挿入した状態で天井材に取り付けられるものであって、凹部の底面にカメラ本体側と接続自在となった情報信号線用接続器を設け、該埋め込み取り付け枠の凹部に感知器のセンサーや中継アンテナを収納可能とし、該感知器のセンサーや中継アンテナの情報信号線を前記情報信号線用接続器に接続可能とし、固定側カメラ取り付け板を凹部内に入れて埋め込み取り付け枠に固着し、該固定側カメラ取り付け板にカメラ本体を水平方向角度調整自在に係止し、埋め込み取り付け枠の凹部の開口部を着脱自在の前記カバー材で覆って、カメラ本体をカバーして室内に露出しないようにして成ることを特徴とする埋め込み取り付けカメラ装置。
【発明の詳細な説明】
【０００１】
【発明の属する技術分野】
本発明は、防災や防犯を目的とするセキュリティ用、またはモニター用、観察用など、映像による現象確認用として使用される埋め込み取り付けカメラ装置に関するものである。
【０００２】
【従来の技術】
従来、映像による現象確認用として使用されるカメラ装置の代表的なものに監視用カメラがある。この監視用カメラはコンビニエンスストアに代表される流通関係、パチンコパーラー、金融関係などの防犯や防災を目的とするセキュリティ用に使用されており、一般的なＩＴＶ（産業用）カメラによる固定式監視カメラや、パーラーなどにおいて使用されているアラーム運動やプリセット機能を持った多点監視用の多機能、高性能な駆動型カメラシステムなどがある。
【０００３】
図６、図７にはカメラの使用例が示してある。図６には産業用監視カメラが示してあり、天井、壁のような造営材Ａの表面にモータ部５０を取り付け、このモータ部５０に回転台（雲台）５１を回転自在に取り付け、回転台５１に固定型監視カメラ５２を取り付けたもので、モータ部５０に設けたモータ制御によりパン（水平方向）軸及びチルト（鉛直方向）軸の２軸を可動させるようになっている。ここで、回転台５１は初期の撮像範囲調整用及びモニタ監視時の駆動用として用いられているのが一般的である。
【０００４】
また、図７には天井材のような造営材Ａの表面にカメラ５２´を取り付け、このカメラ５２´をドーム型のカバー材５４で覆った構成の監視用カメラの例であり、天井、壁などに設置されるドーム型のカバー材５４により内部のカメラ５２´が目立たないように配慮されている。
【０００５】
上記の監視用カメラは、設備機器が大掛かりで複雑な配線を含むシステム構築が必要であり、また、業務用途として高度な精度が要求されるためコスト高であり、業務用以外には使い難く、用途が限定されているという問題があった。
【０００６】
また、監視用として常設カメラがオフィスなどの空間で人の視界内にあると監視されているというような感じを与えて好ましくないので、居住空間としてのオフィスまたは一般住宅内での使用などプライバシーが必要な場所には使用できないという問題がある。このため、従来は主に公共・共用スペースの異常監視用として用いられていた。
【０００７】
また、従来の監視用カメラは、映像確認による監視カメラとしての機能のみで、付属する周辺機器を活用して新たな機能を付加させることはできなかった。また、監視用として常設カメラがオフィスなどの空間で人の視界内にあると監視されているというような感じを与えて好ましくなく、またカメラが見えているため威圧感があり、プライバシーが必要な場所には使用できないという問題があった。
【０００８】
【発明が解決しようとする課題】
本発明は上記の点に鑑みてなされたものであり、カメラ本体が天井材から突出しないと共に人の視界内に露出して見えず、カメラの威圧感がなくてプライバシーが必要な場所でも使用が可能であり、また、カメラ本体を埋設して取り付けない場合には情報信号線用接続器を利用してカメラ本体を収納して取り付けるべき部分に情報端末としての感知器のセンサーや中継アンテナを収納することができる埋め込み取り付けカメラ装置を提供することを課題とするものである。
【０００９】
【課題を解決するための手段】
上記課題を解決するために、本発明に係る埋め込み取り付けカメラ装置は、鉛直方向角度調整手段を備えたカメラ本体１と、下方が開口して内部がカメラ本体１を収納する凹部４となり且つ下端部に外鍔２０を設けた有底筒状の埋め込み取り付け枠５と、赤外線は透過し且つ可視光線は透過しない材料により形成してあるカバー材３を具備し、埋め込み取り付け枠５は天井材Ａにあけた孔３０に外鍔２０が天井材Ａの表面に当たるまで挿入した状態で天井材Ａに取り付けられるものであって、凹部４の底面にカメラ本体側と接続自在となった情報信号線用接続器２を設け、該埋め込み取り付け枠５の凹部４に感知器のセンサーや中継アンテナを収納可能とし、該感知器のセンサーや中継アンテナの情報信号線を前記情報信号線用接続器２に接続可能とし、固定側カメラ取り付け板１３を凹部４内に入れて埋め込み取り付け枠５に固着し、該固定側カメラ取り付け板１３にカメラ本体１を水平方向角度調整自在に係止し、埋め込み取り付け枠５の凹部４の開口部を着脱自在の前記カバー材３で覆って、カメラ本体１をカバーして室内に露出しないようにして成ることを特徴とするものである。このようにカメラ本体１を天井材Ａに埋め込み取り付けることで、カメラ本体１の天井材Ａからの出代を少なくし、また、カメラ本体１をカバー材３によりカバーして室内に露出しないようにして、カメラを目立ち難くすることができる。また、情報信号線用接続部２を設けることで、カメラ本体１を埋設して取り付けない場合にはカメラ本体１を収納して取り付けるべき部分に情報端末としての感知器のセンサーや中継アンテナを収納して、情報信号線用接続器２を利用して情報信号線を接続することができるものである。また天井材Ａに取り付けた埋め込み取り付け枠５の凹部４にカメラ本体１を収納して凹部４の底面に設けた情報信号線用接続器２を利用してカメラ本体１側の情報信号線に接続した接続部４０を接続することで、簡単にカメラ本体１を天井材Ａに埋め込み取り付けることができる。また、カメラ本体１を埋め込み取り付ける際に、水平角度調整を行なった状態で取り付けることができ、また、カメラ本体１側において鉛直方向角度調整を行うことができ、しかも、埋め込み取り付け枠５の凹部４の開口部をカバー材３で覆うだけで、簡単にカメラ本体１をカバーすることができることになる。またカバー材３を着脱することで、カメラ本体１の点検やカバー材３の交換等ができる。また、カバー材３が赤外線は透過し、可視光線は透過しない材料により形成してあることで、映像による現象確認用の効果を持ちながら、人の目にふれないように隠すことができるものである。
【００１０】
【発明の実施の形態】
以下、本発明を添付図面に示す実施の形態に基づいて説明する。
【００１１】
カメラ本体１は図１、図３に示すように、可動側カメラ取り付け板７に支持脚８を垂設し、この支持脚８にカメラ部６を軸９を中心にして回転自在に取り付けて構成してある。可動側カメラ取り付け板７は円板状をしていて中央部に孔部１０が設けてある。可動側カメラ取り付け板７には周方向に１８０度の間隔を隔てて一対の引っ掛け用フック１１が対向して設けてあり、また、可動側カメラ取り付け板７には周方向に弧状をした一対の挿入孔１２が設けてあり、この挿入孔１２は周方向において引っ掛け用フック１１と引っ掛け用フック１１との間に配置してある。
【００１２】
固定側カメラ取り付け板１３は図１に示すように、円板状をしていて中央部に孔部１４が設けてある。固定側カメラ取り付け板１３には周方向に１８０度の間隔を隔てて一対の弧状をした角度調整用長孔１５が設けてあり、この角度調整用長孔１５の両端部には引っ掛け用フック１１を挿通することができる挿通孔部１６が設けてある。また、固定側カメラ取り付け板１３には周方向に一対の固定孔１７が設けてあり、この固定孔１７は周方向において角度調整用長孔１５と角度調整用長孔１５との間に配置してある。更に、固定側カメラ取り付け板１３には周方向に一対の固着具挿入孔１９が設けてあり、この固着具挿入孔１９は周方向において角度調整用長孔１５の外側に配置してある。
【００１３】
埋め込み取り付け枠５は図３、図４に示すように、天井材Ａに埋め込んで取り付けられるものであり、埋め込み取り付け枠５は内部がカメラ本体１を収納することができる凹部４となった下方が開口した有底筒状をしており、下端部に外鍔２０を設けてある。埋め込み取り付け枠５の上底部である上面板２１には中央孔２２が設けてある。接続機器２３の上部の情報線接続部２６が中央孔２２から上方に突出し且つ接続機器２３の下部の固定板部２４を上面板２１の下面側に配置した状態でねじ２５により接続機器２３を埋め込み取り付け枠５に取り付けてある。
【００１４】
ここで、固定板部２４の中央部には孔が設けてあり、この孔に対向する接続機器２３の下部位置に情報信号線用接続器２が設けてある。つまり、情報信号線用接続器２は埋め込み取り付け枠５の凹部４内の底面に配置してある。また、情報信号線用接続器２は上記埋め込み取り付け枠５から上方に突出した情報線接続部２６に接続してあり、情報線接続部２６には外部からの情報線３１が接続される。埋め込み取り付け枠５の外鍔２０にはボルト３６が回転自在に挿通してあり、このボルト３６に天井材固定用金具３７が螺挿してある。埋め込み取り付け枠５を天井材Ａに取り付けるに当っては、天井材Ａに取り付け用の孔３０をあけ、埋め込み取り付け枠５をこの孔３０に外鍔２０が天井材Ａの表面に当るまで挿入し、この状態で、ボルト３６を回転して締め込んでボルト３６に装着されている天井材用金具３７と外鍔２０とで天井材Ａを挟持することで取り付けるものである。
【００１５】
固定側カメラ取り付け板１３は埋め込み取り付け枠５の凹部４内に入れて取り付けられるものであり、この場合、ねじ具のような固着具３８を固定側カメラ取り付け板１３に設けた固着具挿入孔１９から挿入して埋め込み取り付け枠５に固着している接続機器２３の下部の固定板部２４に固着する。埋め込み取り付け枠５の凹部４内には更にカメラ本体１を入れて取り付けられるが、この場合、カメラ本体１に設けた接続部４０を凹部４内の底面に設けた情報信号線用接続器２に接続した状態で、カメラ本体１を凹部４内に入れて一対の引っ掛け用フック１１を挿通孔部１６に挿通し、この状態でカメラ本体１を水平面内で回転して引っ掛け用フック１１を角度調整用長孔１５に引っ掛けた状態で角度調整用長孔１５に対してスライド自在とし、カメラ本体１の水平方向角度調整（つまりカメラ本体１に設けたカメラ部６の水平方向角度調整）を行うものである。このように水平方向の角度調整を行った後に可動側カメラ取り付け板７に設けた挿入孔１２から固定側カメラ取り付け板１３に設けた固定孔１７にねじ具３３を挿入固着してカメラ本体１を埋め込み取り付け枠５に固定した固定側カメラ取り付け板１３に本固定するものである。また、カメラ部６を軸９を中心にして回転自在に回転することで、カメラ部６の垂直方向における角度調整を行うものである。このように水平方向角度調整及び鉛直方向角度調整を行うことで、カメラ部６を目的とする向きに向けることができるものである。
【００１６】
カバー材３は埋め込み取り付け枠５の凹部４の開口部を覆うように埋め込み取り付け枠５に着脱自在に取り付けられるものであり、このようにカバー材３を取り付けることで、カメラ本体１が室内に露出しないようにカバーして室内からカメラ本体１が分からないようにし、併せてカメラ本体１の保護も行うようになっている。ここで、カバー材３は赤外線は透過し、可視光線は透過しない材料により形成してあることが好ましく、このような構成とすることで、映像による現象確認用の効果を持ちながら、人の目にふれないように隠すことができるものである。カバー材３を埋め込み取り付け枠５に着脱自在に取り付けるに当っては、例えば係止手段により着脱自在に係止することが考えられるが、ねじ等により着脱自在に取り付けてもよく、着脱自在に取り付けるための手段には特に限定はなく、要は着脱することで、カメラ本体１の点検やカバー材３の交換等ができるものであればよい。
【００１７】
なお、図５に示すように、埋め込み取り付け枠５の凹部４にカメラ本体１を取り付けない場合には、カバー材３として赤外線は透過し且つ可視光線は透過しない材料でなく、天井面に合わせた色調、デザインのものとしてもよい。このように、天井のような天井材Ａに取り付けた埋め込み取り付け枠５の凹部４内にカメラ本体１を取り付けない場合には、凹部４内に情報端末としての感知器のセンサーや中継アンテナを収納して、情報信号線用接続器２を利用して情報信号線を接続するようにしてもよいものである。この場合には凹部４内に収納した感知器のセンサーや中継アンテナが室内から見えないようにすることができるものでる。また、あらかじめ天井のような天井材Ａに埋め込み取り付け枠５を取り付けてカバー材３を着脱自在に取り付けておけば、部屋の使用形態の変更などに応じてカメラ本体１の移設、あるいは後付けが可能であり、また、その際、大幅な追加工事を必要としないなどカメラ設置の必要性に応じて効率的な運用を図ることができるものである。
【００１８】
【発明の効果】
上記のように本発明の請求項１記載の発明にあっては、鉛直方向角度調整手段を備えたカメラ本体と、下方が開口して内部がカメラ本体を収納する凹部となり且つ下端部に外鍔を設けた有底筒状の埋め込み取り付け枠と、赤外線は透過し且つ可視光線は透過しない材料により形成してあるカバー材を具備し、埋め込み取り付け枠は天井材にあけた孔に外鍔が天井材の表面に当たるまで挿入した状態で天井材に取り付けられるものであって、凹部の底面にカメラ本体側と接続自在となった情報信号線用接続器を設け、該埋め込み取り付け枠の凹部に感知器のセンサーや中継アンテナを収納可能とし、該感知器のセンサーや中継アンテナの情報信号線を前記情報信号線用接続器に接続可能とし、固定側カメラ取り付け板を凹部内に入れて埋め込み取り付け枠に固着し、該固定側カメラ取り付け板にカメラ本体を水平方向角度調整自在に係止し、埋め込み取り付け枠の凹部の開口部を着脱自在の前記カバー材で覆って、カメラ本体をカバーして室内に露出しないようにしたので、カメラ本体が天井材に埋め込んで取り付けられた状態となり、カメラ本体の天井材からの出代を少なくし、また、カメラ本体がカバー材によりカバーされて室内に露出せず、この結果、カメラ本体を目立ち難くすることができて、人に威圧感を与えないとう利点があり、また、情報信号線用接続部を設けてあるので、カメラ本体を埋設して取り付けない場合にはカメラ本体を収納して取り付けるべき部分に情報端末としての感知器のセンサーや中継アンテナを収納して、情報信号線用接続器を利用して情報信号線を接続することができるものである。またカメラ本体を収納する凹部を備えると共にこの凹部の底面に情報信号線用接続器を設けた埋め込み取り付け枠と、鉛直方向角度調整手段を備えたカメラ本体とを具備し、カメラ本体を前記埋め込み取り付け枠の凹部に水平方向角度調整自在に係止し、埋め込み取り付け枠の凹部の開口部をカバー材で覆ってあるので、天井材に取り付けた埋め込み取り付け枠の凹部にカメラ本体を収納して凹部の底部に設けた情報信号線用接続器を利用してカメラ本体側の情報信号線に接続した接続部を接続することで、簡単にカメラ本体を天井材に埋め込み取り付けることができるものであり、また、カメラ本体を埋め込み取り付ける際に、水平角度調整を行なった状態で取り付けることができ、また、カメラ本体側において鉛直方向角度調整を行うことができ、しかも、埋め込み取り付け枠の凹部の開口部をカバー材で覆うだけで、簡単にカメラ本体をカバーして外部から見えないようにできる。またカバー材を着脱することで、カメラ本体の点検やカバー材の交換等ができる。また、カバー材が赤外線は透過し、可視光線は透過しない材料により形成してあるので、映像による現象確認用の効果を持ちながら、確実に人の目にふれないように隠すことができるものである。
【図面の簡単な説明】
【図１】  本発明の分解斜視図である。
【図２】  同上の埋め込み取り付け枠の斜め下方から見た斜視図である。
【図３】  同上の天井のような天井材に取り付けた状態の断面図である。
【図４】  同上の取り付け状態の正面図である。
【図５】  同上のカメラ本体を取り付けない場合の断面図である。
【図６】  従来例の断面図である。
【図７】  他の従来例の断面図である。
【符号の説明】
Ａ  天井材
１  カメラ本体
２  情報信号線要接続器
３  カバー材
４  凹部
５  埋め込み取り付け枠
６  カメラ部
４０  接続部
【図１】
0003906564.tif 000002
【図２】
0003906564.tif 000003
【図３】
0003906564.tif 000004
【図４】
0003906564.tif 000005
【図５】
0003906564.tif 000006
【図６】
0003906564.tif 000007
【図７】
0003906564.tif 000008